(57)【要約】【課題】再生時の線速度が異なる光情報記録媒体においても、効率よく、且つ、安定して、記録や再生ができる光情報記録媒体を提供する。【解決手段】記録及び／又は再生装置が有する光学系解像限界以下の長さを含む記録マークが第１のチャネルビット長を基準とする所定の変調方式に基づいて形成されることによりコンテンツが記録されるデータ領域を有する追記型または書き換え型の光情報記録媒体である。本発明の光情報記録媒体は、ディスク管理情報領域と、記録再生導入領域と、データ領域とが記録及び／又は再生装置の走査方向にこの順で配置され、ディスク管理情報領域は第１のチャネルビット長より長い第２のチャネルビット長を基準とする所定の変調方式に基づいてディスク管理情報を記録し、記録再生導入領域とデータ領域は第１のチャネルビット長を基準とする所定の変調方式に基づいてアドレス情報を記録する。【選択図】図１
2010267369.tif 000002
【特許請求の範囲】
【請求項１】
記録及び／又は再生装置が有する光学系解像限界以下の長さを含む記録マークが第１のチャネルビット長を基準とする所定の変調方式に基づいて形成されることによりコンテンツが記録されるデータ領域を有し、記録及び／または再生装置から出射される光が前記データ領域に照射されることにより、コンテンツの記録及び／または再生が行なわれる追記型または書き換え型の光情報記録媒体であって、
前記光情報記録媒体に関するディスク管理情報が記録されたディスク管理情報領域と、前記データ領域を、前記記録及び／又は再生装置にて記録再生するために利用可能な記録再生導入領域と、前記データ領域とが前記記録及び／又は再生装置の走査方向に、この順で配置されると共に、
前記ディスク管理情報領域は、前記第１のチャネルビット長より長い第２のチャネルビット長を基準とする所定の変調方式に基づいて、前記光情報記録媒体を構成する基板上における前記ディスク管理情報領域に凹凸が形成されることにより、前記ディスク管理情報が記録されており、
前記記録再生導入領域と前記データ領域は、前記第１のチャネルビット長を基準とする所定の変調方式に基づいて、前記基板上における前記記録再生導入領域と前記データ領域とのそれぞれに凹凸が形成されることにより、前記記録再生導入領域と前記データ領域とのそれぞれにおける複数の記憶場所の各位置を特定可能なアドレス情報が記録されていることを特徴とする光情報記録媒体。
【請求項２】
再生装置が有する光学系解像限界以下の長さを含む凹凸が、第１のチャネルビット長を基準とする所定の変調方式に基づいて、自媒体を構成する基板上の所定の位置に形成されていることにより、コンテンツが記録されているデータ領域を有し、前記再生装置から出射される光が前記データ領域に照射されることにより、前記コンテンツの再生が行なわれる再生専用の光情報記録媒体であって、
前記光情報記録媒体に関するディスク管理情報が記録されたディスク管理情報領域と、前記データ領域を、前記再生装置にて再生するために利用可能な記録再生導入領域と、前記データ領域とが前記再生装置の走査方向に、この順で配置されると共に、
前記ディスク管理情報領域は、前記第１のチャネルビット長より長い第２のチャネルビット長を基準とする所定の変調方式に基づいて、前記光情報記録媒体を構成する基板上における前記ディスク管理情報領域に凹凸が形成されることにより、前記ディスク管理情報が記録されており、
前記記録再生導入領域には、前記第１のチャネルビット長の逓倍からなる凹凸が形成されていることを特徴とする光情報記録媒体。
【請求項３】
前記記録再生導入領域には、前記記録及び／又は再生装置が前記データ領域に記録されたコンテンツを再生する際に利用可能な再生利用領域と、前記第１のチャネルビット長の逓倍からなる記録マーク／スペース列を形成するためのテストライト領域とが設けられていることを特徴とする請求項１に記載の光情報記録媒体。
【請求項４】
前記記録再生導入領域には、ピット／スペース列が形成されており、各ピット／スペース長は、前記第１のチャネルビット長をＴとしたときに、３Ｔ、４Ｔ、５Ｔ、６Ｔ、７Ｔ、８Ｔ、９Ｔ、１０Ｔ、１１Ｔのうちのいずれかであることを特徴とする請求項１〜３のいずれか１項に記載の光情報記録媒体。
【請求項５】
前記記録再生導入領域に形成されているピット／スペース列の各ピット／スペース長は、３Ｔ、４Ｔ、５Ｔ、６Ｔ、７Ｔ、８Ｔ、９Ｔ、１０Ｔ、１１Ｔのうちのいずれか１つであり、
当該１つのマーク／スペース長のマーク／スペース列が繰り返し形成されていることを特徴とする請求項４に記載の光情報記録媒体。
【請求項６】
前記記録再生導入領域には、前記データ領域を再生する際に必要とされる再生クロック生成のための記録マークまたはピット／スペース列が形成されていることを特徴とする請求項１〜５のいずれか１項に記載の光情報記録媒体。
【請求項７】
請求項１〜６のいずれか１項に記載の光情報記録媒体の前記データ領域に記録されているコンテンツを再生する光情報記録媒体の再生方法であって、
前記記録及び／又は再生装置から出射される光が前記記録再生導入領域に照射されることにより、前記データ領域に記録されているコンテンツの再生を行なう際に必要となる再生用クロックを生成することを特徴とする光情報記録媒体の再生方法。
【請求項８】
請求項１〜６のいずれか１項に記載の光情報記録媒体の前記データ領域に記録されているコンテンツを再生するための光情報記録媒体の再生装置であって、
光を出射する光源と、
前記光源から出射される光を前記記録再生導入領域に照射することにより、前記データ領域に記録されているコンテンツの再生を行なう際に必要となる再生用クロックを生成する再生用クロック生成回路と
を備えていることを特徴とする光情報記録媒体の再生装置。
【請求項９】
請求項３に記載の光情報記録媒体の前記データ領域にコンテンツを記録すると共に、前記データ領域に記録されているコンテンツを再生するための光情報記録媒体の記録再生方法であって、
前記記録再生導入領域の前記テストライト領域に、前記第１のチャネルビット長の逓倍からなる記録マーク／スペース長を有するマーク及びスペース列を形成することを特徴とする光情報記録媒体の記録再生方法。
【発明の詳細な説明】
【技術分野】
【０００１】
本発明は、情報が記録される光情報記録媒体、光情報記録媒体の再生装置、光情報記録媒体の再生方法及び光情報記録媒体の記録再生方法に関する。
【背景技術】
【０００２】
近年、画像等の膨大な情報の処理のために、光情報記録媒体の情報記録密度の大容量化が求められている。その解決法として、超解像再生技術がある。超解像再生技術とは、再生装置が有する光学的解像限界以下のマーク／スペース長の信号を再生する技術である。
【０００３】
このような超解像再生技術を用いることで、より小さなマーク／スペース長を使用した記録が可能となり、実質的に情報記録密度が増加する。このことはつまり、高密度化する際の問題は、記録技術ではなく、再生技術にあることを意味している。
【０００４】
上述した超解像再生技術を用いる高記録密度の光情報記録媒体では、再生レーザパワーが大きいほど超解像効果が高まる場合があり、このため、このような光情報記録媒体を再生するために最適な再生レーザパワーは、低記録密度の光情報記録媒体を再生するための再生レーザパワーから変更される場合がある。また、再生技術において、クロック生成技術は、光情報記録媒体の回転速度の制御、つまり、回転サーボ機構の制御や信号再生のために用いられる。
【０００５】
ところで、付加情報を挿入できるような同期信号パターンが挿入され、その同期信号パターンを用いて、記録された情報を正確に再生することができる光情報記録媒体が提案されている（例えば、特許文献１を参照）。
【０００６】
この従来の光情報記録媒体では、光情報記録媒体上の仮想的に等間隔に分割されたセルに、多値データに応じて検出信号レベルが異なる記録マークが形成されている。そして、多値データを復調する際に用いる同期信号を抽出するための同期信号パターンがデータ領域中に周期的に挿入されている。この同期信号パターンは、セルの中心を特定できる再生信号波形を得られるように振幅変調により符号化されている。
【０００７】
このため、セル中心が精度よく特定でき、且つ振幅変調の符号化をすることにより、従来、冗長データとなるような情報を付加情報として格納することができるような同期信号パターンを多値データと共に記録することにより、記録された情報を正確に再生し、且つユーザデータ領域の減少を抑えることができる。
【０００８】
ところで、光情報記録媒体は、一つの方式（例えばＣＤ：Compact Disk等）が規格化された場合、その規格の中で様々なバリエーション（ＲＯＭ：Read Only Memory、ＲＷ：ReWritable、ＲＥ：REwritable、ＲＡＭ：Random Access Memory等）も規格化されるのが通常である。
【０００９】
近年では、大容量化のためＤＶＤ（Digital Versatile Disk）やＢＤ（Blu-ray Disc；登録商標）といった規格においても、ＲＯＭ、ＲＷ、ＲＥ、ＲＡＭ等の様々なバリエーションが規格化されて来ている。
【先行技術文献】
【特許文献】
【００１０】
【特許文献１】特開２００５−３０２２６０号公報（平成１７年１０月２７日公開）
【発明の概要】
【発明が解決しようとする課題】
【００１１】
ＤＶＤやＢＤといった規格においては、低記録密度の下位ディスクとの互換性を保ちつつ、超解像技術等の新規技術を用いて高記録密度を実現する大容量の光情報記録媒体が求められている。すなわち、低記録密度の媒体の記録再生と高記録密度の媒体の記録再生とを両立させることができる構造を、高記録密度媒体が有することが望まれている。一般的には、再生装置のチャネルクロックは、ＢＤ、ＤＶＤ等の光情報記録媒体の規格で規定された値である。そのため、再生装置は高記録密度光情報記録媒体を記録再生する場合、低記録密度の下位ディスクのディスク回転速度（線速度）とは異なる線速度に変更して記録再生する必要があると考えられる。光情報記録媒体のディスクの回転速度、つまり、線速度の切り替えが必要となる。そして、低記録密度の領域から高記録密度の領域へと再生が移行する際、この線速度の切り替えを効率良く行ない、且つ、その安定化を図らなければならない。
【００１２】
一方で、高記録密度光情報記録媒体の記録密度に応じて再生装置のチャネルクロックを変更する方法も考えられるが、再生装置に搭載された信号処理装置の設定変更や、その信号処理装置の改造が必要であり、製造コストの増加を招くおそれがある。
【００１３】
上記課題に鑑み、本発明の目的は、再生時の線速度が異なる光情報記録媒体においても、効率よく、且つ、安定して、記録や再生ができる光情報記録媒体、光情報記録媒体の再生装置、光情報記録媒体の再生方法及び光情報記録媒体の記録再生方法を提供することである。
【課題を解決するための手段】
【００１４】
上記目的を達成するために、本発明における光情報記録媒体は、記録及び／又は再生装置が有する光学系解像限界以下の長さを含む記録マークが第１のチャネルビット長を基準とする所定の変調方式に基づいて形成されることによりコンテンツが記録されるデータ領域を有し、記録及び／または再生装置から出射される光が前記データ領域に照射されることにより、コンテンツの記録及び／または再生が行なわれる追記型または書き換え型の光情報記録媒体であって、前記光情報記録媒体に関するディスク管理情報が記録されたディスク管理情報領域と、前記データ領域を、前記記録及び／又は再生装置にて記録再生するために利用可能な記録再生導入領域と、前記データ領域とが前記記録及び／又は再生装置の走査方向に、この順で配置されると共に、前記ディスク管理情報領域は、前記第１のチャネルビット長より長い第２のチャネルビット長を基準とする所定の変調方式に基づいて、前記光情報記録媒体を構成する基板上における前記ディスク管理情報領域に凹凸が形成されることにより、前記ディスク管理情報が記録されており、前記記録再生導入領域と前記データ領域は、前記第１のチャネルビット長を基準とする所定の変調方式に基づいて、前記基板上における前記記録再生導入領域と前記データ領域とのそれぞれに凹凸が形成されることにより、前記記録再生導入領域と前記データ領域とのそれぞれにおける複数の記憶場所の各位置を特定可能なアドレス情報が記録されていることを特徴としている。
【００１５】
本発明における光情報記録媒体は、再生装置が有する光学系解像限界以下の長さを含む凹凸が、第１のチャネルビット長を基準とする所定の変調方式に基づいて、自媒体を構成する基板上の所定の位置に形成されていることにより、コンテンツが記録されているデータ領域を有し、前記再生装置から出射される光が前記データ領域に照射されることにより、前記コンテンツの再生が行なわれる再生専用の光情報記録媒体であって、前記光情報記録媒体に関するディスク管理情報が記録されたディスク管理情報領域と、前記データ領域を、前記再生装置にて再生するために利用可能な記録再生導入領域と、前記データ領域とが前記再生装置の走査方向に、この順で配置されると共に、前記ディスク管理情報領域は、前記第１のチャネルビット長より長い第２のチャネルビット長を基準とする所定の変調方式に基づいて、前記光情報記録媒体を構成する基板上における前記ディスク管理情報領域に凹凸が形成されることにより、前記ディスク管理情報が記録されており、前記記録再生導入領域には、前記第１のチャネルビット長の逓倍からなる凹凸が形成されていることを特徴としている。
【００１６】
このため、ディスク管理情報領域とデータ領域との間で、各々の領域で再生時のディスク回転速度（線速度）が異なる場合でも、記録再生導入領域を走査しながら線速度を変更し、且つ、安定化させることができる。
【００１７】
また、データ領域への再生を効率よく、且つ、安定して行なうことができる。
【００１８】
前記記録再生導入領域には、前記記録及び／又は再生装置が前記データ領域に記録されたコンテンツを再生する際に利用可能な再生利用領域と、前記第１のチャネルビット長の逓倍からなる記録マーク／スペース列を形成するためのテストライト領域とが設けられていることが好ましい。
【００１９】
この場合、データ領域に記録されたコンテンツを再生する場合に、効率よく再生可能となる。
【００２０】
前記記録再生導入領域には、ピット／スペース列が形成されており、各ピット／スペース長は、前記第１のチャネルビット長をＴとしたときに、３Ｔ、４Ｔ、５Ｔ、６Ｔ、７Ｔ、８Ｔ、９Ｔ、１０Ｔ、１１Ｔのうちのいずれかであることが好ましい。
【００２１】
この場合、クロックの生成が効率的に可能になる。何故ならば、少なくともデータ領域に形成されたピットの内２Ｔの長さのピットは、再生装置が有する光学系解像限界以下であるため、クロックの生成が比較的困難であるためである。
【００２２】
また、前記記録再生導入領域に形成されているピット／スペース列の各ピット／スペース長は、３Ｔ、４Ｔ、５Ｔ、６Ｔ、７Ｔ、８Ｔ、９Ｔ、１０Ｔ、１１Ｔのうちのいずれか１つであり、当該１つのマーク／スペース長のマーク／スペース列が繰り返し形成されていることが好ましい。
【００２３】
この場合、上記理由により、クロックの生成が効率的に可能になると共にピット／スペース列を形成する工程が簡略化できるので、コストダウンが図れる。
【００２４】
前記記録再生導入領域には、前記データ領域を再生する際に必要とされる再生クロック生成のための記録マークまたはピット／スペース列が形成されていることが好ましい。
【００２５】
この場合、記録再生導入領域を用いて、データ領域に記録されているコンテンツの再生を行なう際に必要となる再生用クロックを生成することができる。
【００２６】
本発明における光情報記録媒体の再生方法は、上記いずれかに記載の光情報記録媒体の前記データ領域に記録されているコンテンツを再生する光情報記録媒体の再生方法であって、前記記録及び／又は再生装置から出射される光が前記記録再生導入領域に照射されることにより、前記データ領域に記録されているコンテンツの再生を行なう際に必要となる再生用クロックを生成する。
【００２７】
上記の光情報記録媒体の再生方法では、異なるチャネルビット長を基準として情報が記録されているディスク管理情報領域とデータ領域との間で、記録再生導入領域を再生しながら、データ領域のデータの再生に必要な再生用クロックを生成することができる。
【００２８】
このため、ディスク管理情報領域からデータ領域への再生を効率よく、且つ、安定して行なうことができる。
【００２９】
本発明における光情報記録媒体の記録及び／または再生装置は、上記いずれかに記載の光情報記録媒体の前記データ領域に記録されているコンテンツを再生する光情報記録媒体の記録及び／または再生装置であって、光を出射する光源と、前記光源から出射される光を前記記録再生導入領域に照射することにより、前記データ領域に記録されているコンテンツの再生を行なう際に必要となる再生用クロックを生成する再生用クロック生成回路とを備えている。
【００３０】
上記の光情報記録媒体の記録及び／または再生装置では、異なるチャネルビット長を基準として情報が記録されているディスク管理情報領域とデータ領域との間で、記録再生導入領域を再生しながら、データ領域のデータの再生に必要な再生用クロックを生成することができる。
【００３１】
このため、ディスク管理情報領域からデータ領域への再生を効率よく、且つ、安定して行なうことができる。
【００３２】
本発明における光情報記録媒体の記録再生方法は、上記いずれかに記載の光情報記録媒体の前記データ領域にコンテンツを記録すると共に、前記データ領域に記録されているコンテンツを再生するための光情報記録媒体の記録再生方法であって、前記記録再生導入領域の前記テストライト領域に、前記第１のチャネルビット長の逓倍からなる記録マーク／スペース長を有するマーク及びスペース列を形成する。
【００３３】
この場合、データ領域への記録／再生を効率よく行なうことができる。
【発明の効果】
【００３４】
本発明の光情報記録媒体は、以上のように、記録及び／又は再生装置が有する光学系解像限界以下の長さを含む記録マークが第１のチャネルビット長を基準とする所定の変調方式に基づいて形成されることによりコンテンツが記録されるデータ領域を有し、記録及び／または再生装置から出射される光が前記データ領域に照射されることにより、コンテンツの記録及び／または再生が行なわれる追記型または書き換え型の光情報記録媒体であって、前記光情報記録媒体に関するディスク管理情報が記録されたディスク管理情報領域と、前記データ領域を、前記記録及び／又は再生装置にて記録再生するために利用可能な記録再生導入領域と、前記データ領域とが前記記録及び／又は再生装置の走査方向に、この順で配置されると共に、前記ディスク管理情報領域は、前記第１のチャネルビット長より長い第２のチャネルビット長を基準とする所定の変調方式に基づいて、前記光情報記録媒体を構成する基板上における前記ディスク管理情報領域に凹凸が形成されることにより、前記ディスク管理情報が記録されており、前記記録再生導入領域と前記データ領域は、前記第１のチャネルビット長を基準とする所定の変調方式に基づいて、前記基板上における前記記録再生導入領域と前記データ領域とのそれぞれに凹凸が形成されることにより、前記記録再生導入領域と前記データ領域とのそれぞれにおける複数の記憶場所の各位置を特定可能なアドレス情報が記録されている。
【００３５】
それゆえ、再生時の線速度が異なる光情報記録媒体においても、効率よく、且つ、安定して、記録や再生ができるという効果を奏する。
【図面の簡単な説明】
【００３６】
【図１】本発明の実施の形態１および２における光情報記録媒体の構成を説明するための説明図であり、（ａ）は、リードイン領域、データ領域及びリードアウト領域の配置構成を示す図、（ｂ）は、ディスク管理情報領域、記録再生導入領域及びデータ領域の配置構成を示す図、（ｃ）は、ディスク管理情報領域の構成を示す図、（ｄ）は、記録再生導入領域及びデータ領域の構成を示す図である。
【図２】本発明の実施の形態１における光情報記録媒体の再生装置の概略構成を示すブロック図である。
【図３】本発明の実施の形態２における光情報記録媒体の構造を示す断面図である。
【図４】本発明の実施の形態１および２における光情報記録媒体に形成されたマーク／スペース列を説明するための説明図である。
【図５】本発明の実施の形態１および２における再生装置の記録及び再生動作の処理手順を示すフローチャートである。
【図６】本発明の実施の形態２における再生装置の再生用クロック生成回路の動作を説明するための説明図である（その１）。
【図７】本発明の実施の形態２における再生装置の再生用クロック生成回路の動作を説明するための説明図である（その２）。
【図８】本発明の実施の形態１における光情報記録媒体に形成された溝（グルーブ）のウォブル（蛇行）を説明するための説明図である。
【図９】本発明の実施の形態１における光情報記録媒体の外観を示す図である。
【図１０】図９のＡ部の拡大図である。
【図１１】ＡＤＩＰ領域の構成図である。
【図１２】本発明の実施の形態１における光情報記録媒体の構造を示す断面図である。
【図１３】本発明の実施の形態２における光情報記録媒体の外観を示す図である。
【図１４】図１３のＢ部の拡大図である。
【図１５】本発明の実施の形態１における光情報記録媒体の比較例１の外観を示す図である。
【図１６】図１５のＣ部の拡大図である。
【図１７】本発明の実施の形態２における光情報記録媒体の比較例２の外観を示す図である。
【図１８】図１７のＤ部の拡大図である。
【図１９】本発明の実施の形態１における光情報記録媒体を記録する処理手順を示すフローチャートである。
【発明を実施するための形態】
【００３７】
以下図面を参照して、本発明の実施の形態を説明する。以下の図面の記載において、同一または類似の部分には同一または類似の符号を付している。なお、以下で参照する各図は、説明の便宜上、本発明の実施の形態における構成部材のうち、本発明を説明するために必要な主要部材のみを簡略化して示したものである。したがって、本発明の光情報記録媒体は、本明細書が参照する各図に示されていない任意の構成部材を備え得る。また、各図中の部材の寸法は、実際の構成部材の寸法及び各部材の寸法比率等を忠実に表したものではない。なお、以下の実施の形態は記録再生レーザの波長は４０５ｎｍ付近のレーザを用いて記録再生されるものである。
【００３８】
本願にかかる光情報記録媒体を光情報記録媒体１００と称する。
【００３９】
（実施の形態１）
本発明の実施の形態１は、追記型の光情報記録媒体とする実施の形態である。本実施の形態１における追記型の光情報記録媒体では、ＤＶＤタイプの断面構造を有する大容量の光情報記録媒体を例として説明する。
【００４０】
図９に、本実施の形態１における光情報記録媒体の外観を示す。図１を用いて説明する。図１の（ａ）に示すように、本実施の形態１における光情報記録媒体においては、この光情報記録媒体を再生する、あるいは、記録及び再生する光情報記録媒体の再生装置の走査方向に沿って、リードイン領域、データ領域、リードアウト領域が、この順で配置されている。
【００４１】
リードイン領域は、図１の（ｂ）〜（ｄ）に示すように、ディスク管理情報領域と、記録再生導入領域とから構成されている。今後記載するマーク（記録マーク）とはピットも含むものとする。また、記録再生導入領域とは、データ領域を記録再生するための準備に利用できる領域（再生利用領域）を含むものである。
【００４２】
そして、本実施の形態１における光情報記録媒体のディスク管理情報領域では、チャネルビット長Ｔ１（第２のチャネルビット長）のｎ倍（ｎ：整数）のピット／スペース長ｎＴ１を持つピット／スペース列が記録されている。このチャネルビット長Ｔ１は、ディスク管理情報領域に情報を記録する際の記録フォーマットにより規定される値である。そして、このディスク管理情報領域に記録されるピット／スペース列の最短のピット／スペース長ｎＴ１は、この光情報記録媒体を記録、再生する光情報記録媒体の再生装置が有する光学系解像限界よりも長くなるように設定されている。ここでの再生装置が有する光学系解像限界とは、再生レーザの波長をλ、対物レンズの開口数をＮＡとするとλ／（４ＮＡ）で示される値となる。ただし、この値は再生装置により多少前後した値となる。
【００４３】
また、本実施の形態１における記録再生導入領域では、例えば、チャネルビット長Ｔ２（第１のチャネルビット長）のｍ倍（ｍ：整数）のマーク／スペース長ｍＴ２を持つマーク／スペース列が記録されている。さらに、本実施の形態１におけるデータ領域では、チャネルビット長Ｔ２のｍ倍（ｍ：整数）のマーク／スペース長ｍＴ２を持つマーク／スペース列が記録されている。
【００４４】
チャネルビット長Ｔ２は、記録再生導入領域及びデータ領域に情報を記録する際の記録フォーマットにより規定される値である。このため、記録再生導入領域及びデータ領域の各々に記録されるマーク／スペース列の最短のマーク／スペース長は、同一のｍＴ２となる。また、チャネルビット長Ｔ２はチャネルビット長Ｔ１より短い。
【００４５】
図１０は、図９のＡ部の拡大図を示しており、図９のディスク管理情報領域付近を拡大したものである。
【００４６】
図４及び図１０に示すように、本実施形態１の光情報記録媒体のディスク管理情報領域には、光情報記録媒体を構成する基板上にマーク群（プリピット群）が設けられており、これらピット群と２つのピットとの間のスペース群からなるピット／スペース列を用いてディスク管理情報が記録されている。
【００４７】
このディスク管理情報領域には、ディスク（光情報記録媒体）の構造や、ディスクの記録や再生時に必要な情報等が記録されている。
【００４８】
そして、その記録方式は８／１６変調を基準としている、既存の光情報記録媒体の記録密度に適合したチャネルビット長Ｔ１を基準とし、ピット及びスペースの各々の長さがチャネルビット長Ｔ１の逓倍の長さになるように設定されている。また、具体的には、ピット及びスペースの各々の長さは、３Ｔ１以上に設定されている。
【００４９】
なお、ピット／スペース列の最短のピット／スペース長３Ｔ１の長さは、再生装置が有する光学系の解像限界より長くなるように設定されている。具体的には、チャネルビット長Ｔ１は０．１３３μｍとした。ただし、チャネルビット長Ｔ１はこの値に限られるものではなく、チャネルビット長Ｔ１を基準として形成されるピット／スペース列の最短のピット／スペース長が、再生装置が有する光学系解像限界λ／（４ＮＡ）より、長くなるようになっていればよい。
【００５０】
また、図９のディスク管理情報領域には、ピット／スペース列により情報が記録されているが、基板上にグルーブ（溝）を、チャネルビット長Ｔ１を基準として、蛇行させることで記録されていても良い。
【００５１】
なお、記録の方式等については、上記に限られるものではなく、互換を取るべき既存の媒体の方式に適合するようにすれば良い。例としてＢｌｕ−ｒａｙディスクで採用されている１−７変調等であっても良い。
【００５２】
図８に示すように、記録再生導入領域及びデータ領域には、グルーブ６１を蛇行させたウォブルにアドレス情報が設けられている。このアドレス情報は、記録再生導入領域及びデータ領域のそれぞれにおける複数の記憶場所の各位置を表わす値である。これらは、既存の追記型記録媒体よりも高い記録密度に適合したウォブルが形成されている。このウォブルは、例えばデータ領域に記録される密度に適合したチャネルビット長Ｔ２を基準として、３２Ｔ２を１周期となるようなウォブルが設けられている。より詳しくは、アドレス情報は、正弦波からなるウォブルの位相を１８０°反転させたウォブルと、通常のウォブルとの間の位相変換領域に埋め込まれている。通常、この領域はＡＤＩＰと呼ばれている。図１１に、このＡＤＩＰの概略構成を示す。
【００５３】
図１１に示すように、このＡＤＩＰ領域では、２シンクフレームに９３個のウォブルが対応している。また、９３個のウォブルのうち、８個のウォブルがＡＤＩＰと呼ばれる位相変換部である。前半４つのウォブルと後半４つのウォブルの組合せでウォブル信号を用いてアドレス情報を検出されるようになっている。さらに、その残りは８５個の単一ウォブルから構成される。
【００５４】
なお、記録再生導入領域とデータ領域には、チャネルビット長Ｔ２の逓倍にあたる３Ｔ２〜１１Ｔ２の長さからなるマーク及びスペース列が８／１６変調に基づいて配列されることにより、情報が記録される。また、チャネルビット長Ｔ２を基準として形成されるマーク／スペース列の最短のマーク／スペース長３Ｔ２の長さは、再生装置が有する光学系の解像限界より短くなるように設定されている。具体的にはチャネルビット長Ｔ２は約３７ｎｍとした。ただし、チャネルビット長Ｔ２はこの値に限られるものではなく、チャネルビット長Ｔ２を基準として形成されるマーク／スペース列の最短のマーク／スペース長が、再生装置が有する光学系解像限界λ／（４ＮＡ）より、短くなるようになっていればよい。また、トラックピッチは０．７４μｍとした。
【００５５】
さらに、記録方式は上記方式に限定されるものではなく、Blu-ray等で採用されている記録方式を用いても良い。
【００５６】
また、データ領域にはウォブルによりアドレス情報が記録されているが、基板上にマークまたはピット／スペース列を設けることで記録されていても良い。
【００５７】
次に、本実施の形態１における光情報記録媒体の構造について説明する。図１２は、本実施の形態１における光情報記録媒体の構造を示す断面図である。
【００５８】
図１２に示すように、本実施の形態１における光情報記録媒体は、第１基板７４と、薄膜層７３と、接着層７２と、第２基板７１と、を備えており、この順で記録再生光入射面から配置されている。
【００５９】
薄膜層７３は、多層からなる積層構造を有しており、酸化亜鉛からなる超解像層７３３と、有機色素膜からなる記録層７３２と、銀合金からなる反射膜７３１と、を備えている。
【００６０】
接着層７２は、第２基板７１と接着されている。
【００６１】
第１基板７４及び第２基板７１は、ポリカーボネート樹脂で形成されている。また、第１基板７４には、トラッキング用案内溝（グルーブ）が形成されている。トラックピッチは０．７４μｍとした。
【００６２】
第１基板７４及び第２基板７１を構成する材料の光学的特性は、特に限定されるものではなく、透明でも不透明であってもよい。第１基板７４及び第２基板７１を構成する材料としては、例えば、ガラス、ポリカーボネート、アモルファスポリオレフィン、熱可塑型ポリイミド、ＰＥＴ、ＰＥＮ、ＰＥＳ等の熱可塑性透明樹脂、熱硬化型ポリイミド、紫外線硬化型アクリル樹脂等の熱硬化性透明樹脂、金属等、及びそれらの組合せが挙げられる。
【００６３】
本実施の形態１においては、追記型の光情報記録媒体を例に説明したが、書き換え型であっても良い。この書き換え型の場合は、記録層７３２の材料としては、相変化材料ＧｅＳｂＴｅ等が用いられる。必要に応じて、相変化材料層を誘電体層で挟むこともできる。
【００６４】
また、本実施の形態１は、多層ディスクであっても良い。本実施の形態１の光情報記録媒体はＤＶＤタイプに準じた構造であったが、Blu-rayタイプに準じた構造でもよい。
【００６５】
（実施の形態２）
次に、本発明の実施の形態２について説明する。本実施の形態２は、再生専用型の光情報記録媒体とする実施の形態である。本実施の形態２における再生専用の光情報記録媒体では、ＤＶＤタイプの断面構造を有する大容量の光情報記録媒体を例として説明する。
【００６６】
図１３に、本実施の形態２における光情報記録媒体の外観を示す。図１を用いて説明する。図１の（ａ）に示すように、本実施の形態２における光情報記録媒体においては、この光情報記録媒体の再生する光情報記録媒体の再生装置の走査方向に沿って、リードイン領域、データ領域、リードアウト領域が、この順で配置されている。
【００６７】
リードイン領域は、図１の（ｂ）に示すように、ディスク管理情報領域と、記録再生導入領域とから構成されている。
【００６８】
そして、本実施の形態２におけるディスク管理情報領域では、チャネルビット長Ｔ１のｎ倍（ｎ：整数）のピット／スペース長ｎＴ１を持つピット／スペース列が記録されている。このチャネルビット長Ｔ１は、ディスク管理情報領域に情報を記録する際の記録フォーマットにより規定される値である。そして、このディスク管理情報領域に記録されるピット／スペース列の最短のピット／スペース長ｎＴ１は、この実施の形態２の光情報記録媒体の再生装置が有する光学系解像限界よりも長くなるように設定されている。ここでの再生装置が有する光学系解像限界とは、再生レーザの波長をλ、対物レンズの開口数をＮＡとするとλ／（４ＮＡ）で示される値となる。ただし、この値は再生装置により多少前後した値となる。また、本実施の形態２の記録再生導入領域では、例えば、チャネルビット長Ｔ２のｍ倍（ｍ：整数）のピット／スペース長ｍＴ２を持つピット／スペース列が記録されている。さらに、本実施の形態２のデータ領域では、例えば、チャネルビット長Ｔ２のｍ倍（ｍ：整数）のピット／スペース長ｍＴ２を持つピット／スペース列が記録されている。
【００６９】
チャネルビット長Ｔ２は、記録再生導入領域及びデータ領域に情報を記録する際の記録フォーマットにより規定される値である。このため、記録再生導入領域及びデータ領域の各々に記録されるピット／スペース列の最短のピット／スペース長は、同一のｍＴ２となる。また、チャネルビット長Ｔ２はチャネルビット長Ｔ１より短い。
【００７０】
また、図１４は、図１３のＢ部の拡大図を示しており、図１３のディスク管理情報領域付近を拡大したものである。
【００７１】
図４及び図１４に示すように、本実施形態２の光情報記録媒体のディスク管理情報領域には、光情報記録媒体を構成する基板上にマーク群（プリピット群）が設けられており、これらピット群と２つのピットとの間のスペース群とからなるピット／スペース列を用いてディスク管理情報が記録されている。このディスク管理情報領域には、ディスク（光情報記録媒体）の構造や、ディスクの再生時に必要な情報などが記録されている。
【００７２】
そして、その記録方式は８／１６変調となっており、既存の光情報記録媒体の記録密度に適合したチャネルビット長Ｔ１を基準とし、ピット及びスペースの各々の長さがチャネルビット長Ｔ１の逓倍の長さになるように設定されている。具体的には、ピット及びスペースの各々の長さは、３Ｔ１以上に設定されている。
【００７３】
なお、ピット／スペース列の最短のピット／スペース長３Ｔ１の長さは、再生装置が有する光学系の解像限界より長くなるように設定されている。具体的にはチャネルビット長Ｔ１は０．１３３μｍとした。ただし、チャネルビット長Ｔ１はこの値に限られるものではなく、チャネルビット長Ｔ１を基準として形成されるピット／スペース列の最短のピット／スペース長が再生装置が有する光学系解像限界λ／（４ＮＡ）より、長くなるようになっていればよい。
【００７４】
また、記録の方式等については、上記に限られるものではなく、互換を取るべき既存の媒体の方式に適合するようにすれば良い。例としてBlu-rayディスクで採用されている１−７変調等がある。
【００７５】
さらに、図１３に示すように、本実施の形態２における光情報記録媒体では、記録再生導入領域及びデータ領域が設けられている。そして、図４及び図１４に示すように、これら記録再生導入領域及びデータ領域には、チャネルビット長Ｔ２の逓倍にあたる３Ｔ２〜１１Ｔ２の長さからなるピット／スペース列が８／１６変調に基づいて配列されることにより、情報が記録されている。また、場合によっては、記録再生導入領域には、３Ｔ２〜１１Ｔ２のいずれか１つの長さに対応するピット／スペースの繰り返し信号が配置されていてもよい。さらに、テストリードによる再生レーザパワーの決定が必要な媒体の場合（詳細は後述する）、記録再生導入領域には、３Ｔ２〜１１Ｔ２の長さからなるピット／スペース列が８／１６変調に基づいて配列されたテストリード領域（第２の領域）も設けられる。
【００７６】
なお、チャネルビット長Ｔ２を基準として形成される最短ピット／スペース長３Ｔ２は、再生装置が有する光学系の解像限界より短くなるように設定されている。具体的にはチャネルビット長Ｔ２は約３７ｎｍとした。ただし、チャネルビット長Ｔ２はこの値に限られるものではなく、チャネルビット長Ｔ２を基準として形成されるピット／スペース列の最短のピット／スペース長が再生装置が有する光学系解像限界λ／（４ＮＡ）より、短くなるようになっていればよい。また、トラックピッチは０．７４μｍとした。
【００７７】
なお、記録の方式等については、上記に限られるものではなく、互換を取るべき既存の媒体の方式に適合するようにすれば良い。
【００７８】
次に、本実施の形態２における光情報記録媒体の構造について説明する。図３は、本実施の形態２における光情報記録媒体の構造を示す断面図である。
【００７９】
図３に示すように、本実施の形態２における光情報記録媒体１００は、第１基板４１と、薄膜層４２と、第２基板４３と、を備えており、この順で再生光入射面から配置されている。
【００８０】
薄膜層４２は、多層からなる積層構造を有しており、酸化亜鉛からなる超解像層４２１と、銀合金からなる反射膜４２２と、を備えている。
【００８１】
また、薄膜層４２は、保護層（図示省略）及び粘着層（図示省略）を挟むようにして第１基板４３と接着されている。
【００８２】
第１基板４１及び第２基板４３は、ポリカーボネート樹脂で形成されている。また、第１基板４１及び／または第２基板４３には、ピット／スペース列が形成されている。
【００８３】
第１基板４１及び第２基板４３を構成する材料の光学的特性は、特に限定されるものではなく、透明でも不透明であってもよい。第１基板４１及び第２基板４３を構成する材料としては、例えば、ガラス、ポリカーボネート、アモルファスポリオレフィン、熱可塑型ポリイミド、ＰＥＴ、ＰＥＮ、ＰＥＳ等の熱可塑性透明樹脂、熱硬化型ポリイミド、紫外線硬化型アクリル樹脂等の熱硬化性透明樹脂、金属等、及びそれらの組合せが挙げられる。
【００８４】
また、本実施の形態２の光情報記録媒体はＤＶＤタイプに準じた構造であったが、Blu-rayタイプに準じた構造でもよい。
【００８５】
次に、本実施の形態２における光情報記録媒体を再生する光情報記録媒体の再生装置について説明する。図２は、本実施の形態２における光情報記録媒体の再生装置の概略構成を示すブロック図である。もちろん、この再生装置２００は、公知の記録技術を用いることにより、光情報記録媒体の記録も可能となる。
【００８６】
本実施の形態２における光情報記録媒体の再生装置２００は、スピンドルモータ２０と、光ピックアップ２１と、再生用クロック生成回路２２と、サーボ機構部２３と、イコライザ２４と、Ａ／Ｄ変換器２５と、信号処理回路２６と、エラー検出回路２７と、制御部２８と、レーザ制御回路２９と、を備えている。
【００８７】
この再生装置２００では、光ピックアップ２１から記録／再生用のレーザ光が出射され、光情報記録媒体１００の記録面に照射されて、情報の記録または再生が行われる。そのとき、光情報記録媒体１００からの戻り光は、再び、光ピックアップ２１で受光される。
【００８８】
光ピックアップ２１は、その戻り光を光電変換し、その電気信号をサーボ機構部２３に出力する。
【００８９】
サーボ機構部２３は、光ピックアップ２１からの電子信号に基づき光ピックアップ２１のトラッキングやフォーカス制御を行なう。
【００９０】
制御部２８は、再生装置２００の各構成部材の動作を制御する。例えば、制御部２８は、光情報記録媒体１００の回転状態を検知するセンサ３０と接続されている。そして、制御部２８は、そのセンサ３０から光情報記録媒体１００の回転状態を表わす検知信号を取得し、その検知信号に基づきスピンドルモータ２０による光情報記録媒体１００の回転を制御し、光情報記録媒体１００を安定に回転させる。
【００９１】
また、光ピックアップ２１から出力される電気信号は、再生用クロック生成回路２２及びイコライザ２４に入力される。イコライザ２４は、入力された電気信号を波形等化し、その波形等化された信号をＡ／Ｄ変換器２５に出力する。
【００９２】
再生用クロック生成回路２２は、後述するように、光ピックアップ２１からの電気信号を用いて、再生用クロックを生成する。
【００９３】
Ａ／Ｄ変換器２５は、再生用クロック生成回路２２により生成された再生用クロックを用いて、光ピックアップ２１からの電気信号を量子化する。そして、Ａ／Ｄ変換器２５は、その量子化された信号を信号処理回路２６に出力する。
【００９４】
信号処理回路２６は、Ａ／Ｄ変換器２５からの量子化信号に所定の復調処理を施した後、その復調処理された信号をエラー検出回路２７に出力する。そして、エラー検出回路２７は、信号処理回路２６からの復調信号に所定のエラー検出処理を施した後、そのエラー検出処理された信号を制御部２８に出力する。
【００９５】
レーザ制御回路２９は、光ピックアップ２１内のレーザ光源（図示省略）を駆動するためのレーザ駆動信号を生成する。制御部２８は、このレーザ制御回路２９によるレーザ駆動信号の生成を制御することにより、光ピックアップ２１内のレーザ光源から光情報記録媒体１００に照射されるレーザ光の出射状態を制御する。
【００９６】
次に、再生装置２００の動作について説明する。
【００９７】
図５は、この再生装置２００の再生動作の処理手順を示すフローチャートである。図５は実施の形態１、２を再生する光情報記録媒体再生装置２００の再生動作に関するものである。
【００９８】
図２に示すように、光情報記録媒体１００（実施の形態１、２）が再生装置２００に装填されるとセンサ３０が検知をして、制御部２８はスピンドルモータ２０を動作させ光情報記録媒体１００を回転させる。制御部２８は、レーザ制御回路２９を介して光ピックアップ２１を光情報記録媒体１００上のリードイン領域内の設けられたディスク管理情報領域に移動させる。該領域に設けられたピットもしくは、ウォブルから再生クロックを生成し、ディスク管理情報（ディスクの種類や構造、アドレス情報、テストリードによる最適再生レーザパワーの決定工程の有無（有の場合、テストリードによる再生レーザパワーの決定に必要な情報））を読み取る。これら情報は制御部２８内のメモリ（図示しない）に記録される。これら情報に基づき光情報記録媒体１００を再生する際にテストリードが必要であるか否かが判断される（ステップＳ２０１）。そして、本ステップＳ２０１において、テストリード不要と判断された場合には（ステップＳ２０１ＮＯ）、後述するステップＳ２０２に進む一方、テストリード必要と判断された場合には（ステップＳ２０１ＹＥＳ）、後述するステップＳ２０６に進む。
【００９９】
先ず、テストリード不要と判断された場合には（ステップＳ２０１ＮＯ）、再生装置２００は、ディスク管理情報領域に適合した所定の再生条件（例えば、線速度）を用いてディスク管理情報から、データ領域を再生するために必要な再生条件を取得する。これら情報は制御部２８内のメモリ（図示しない）に記録される。（ステップＳ２０２）。
【０１００】
再生装置２００は、続いて光ピックアップ２１をデータ管理情報領域から記録再生導入領域に移行させる。ディスク管理情報領域から取得した再生条件に従って、スピンドルモータ２０の回転速度をデータ領域に適合する回転速度（線速度）に変更する。そして、再生装置２００は、記録再生導入領域に形成されているピットもしくはウォブルから、再生クロックを生成し、これをもとに線速度を安定させる。その後ディスク管理情報領域に形成されているピットもしくはウォブルからアドレスを取得する。（ステップＳ２０３）。
【０１０１】
光情報記録媒体１００の記録再生導入領域には、データ領域を再生する際に必要とされる再生クロック生成のためのマークまたはピット／スペース列が形成されている。より詳しくは、３Ｔ２〜１１Ｔ２の長さからなるマークまたはピット／スペース列が８／１６変調に基づいて記録されている。場合によっては、記録再生導入領域には、３Ｔ２〜１１Ｔ２のいずれか１つの長さに対応するマーク／スペースの繰り返し信号が記録されていてもよい。再生装置２００は、この記録再生導入領域に形成されているマークまたはピット／スペース列から再生クロックを生成する（ステップＳ２０４）。本ステップＳ２０４において、正確、且つ、安定した再生用クロックが生成されるので、再生装置２００は効率的にデータ領域を再生することができる。
【０１０２】
そして、再生装置２００は、光ピックアップ２１を光情報記録媒体１００の記録再生導入領域からデータ領域に移行させ、上記のステップＳ２０４で生成された再生用クロックを用いて、アドレスを取得後データ領域の再生を効率よく実行する（ステップＳ２０５）。また、再生装置２００の光ピックアップ２１は、データ領域の開始点に直接アクセスすることは困難である。この場合例えば、少なくとも開始点を含む領域にアクセスできるようピックアップを移動できるように設定できるとすると、本実施の形態２では、ピックアップがデータ領域より内周つまり、記録再生導入領域に移動した場合、上記記録再生導入領域には再生クロック生成用のマーク又はピットが記録されているため、そのまま走査することで、ステップＳ２０４で再生クロックが生成でき、データ領域を再生できる。また、光ピックアップ２１がデータ領域開始直後の領域にアクセスした場合も、ステップＳ２０４で再生クロックが生成できているため、アドレス取得後、即座にデータ領域開始点に光ピックアップ２１を移動させ、データ領域の再生ができる。
【０１０３】
一方で、後述の比較例１、２のように再生導入領域を持たない光情報記録媒体の場合、再生装置２００の光ピックアップ２１が、データ領域が開始する手前にアクセスした場合は、再生クロック生成ができない。そのため、データ領域内に移動し再生クロックを生成し、その後光ピックアップ２１をデータ領域の先頭まで移動させてデータ領域を再生する必要があり、効率的とはいえない。また、光ピックアップ２１がデータ領域開始直後の領域にアクセスした場合は、データ領域にて、改めて再生クロックを生成したのちに、アドレスを取得して、さらにデータ領域開始点に光ピックアップ２１を戻したのち、データ領域の再生を行なわなければならず効率的とはいえない。
【０１０４】
一方、上記のステップＳ２０１で、テストリード必要と判断された場合には（ステップＳ２０１ＹＥＳ）、再生装置２００は、ディスク管理情報領域に適合した所定の再生条件（例えば、線速）を用いてディスク管理情報から、データ領域を再生するためにデータ領域を再生するために必要な再生条件、及び、記録再生導入領域に含まれるテストリード領域を用いたテストリード（最適再生レーザパワーの決定）を行なうために必要なテストリード条件を取得する（ステップＳ２０６）。これら情報は制御部２８内のメモリ（図示しない）に記録される。
【０１０５】
再生装置２００は、続いて光ピックアップ２１をデータ管理情報領域から記録再生導入領域に移行させる。そして、ディスク管理情報領域から取得した再生条件に従って、スピンドルモータ２０の回転速度をデータ領域に適合する回転速度（線速度）に変更する。そして、再生装置２００は、記録再生導入領域に形成されているピットもしくはウォブルから、再生クロックを生成し、これをもとに線速度を安定させる。その後ディスク管理情報領域に形成されているピットもしくはウォブルからアドレスを取得する。（ステップＳ２０７）。
【０１０６】
光情報記録媒体１００の記録再生導入領域には、データ領域を再生する際に必要とされる再生クロック生成のためのマークまたはピット／スペース列が形成されている。より詳しくは、３Ｔ２〜１１Ｔ２の長さからなるマークまたはピット／スペース列が８／１６変調に基づいて記録されている。場合によっては、記録再生導入領域には、３Ｔ２〜１１Ｔ２のいずれか１つの長さに対応するマーク／スペースの繰り返し信号が記録されていてもよい。再生装置２００は、この記録再生導入領域に形成されているマークまたはピット／スペース列から再生クロックを生成する（ステップＳ２０８）。
【０１０７】
さらに、再生装置２００は、記録再生導入領域に含まれるテストリード領域のアドレスを取得後、テストリード領域にてデータ領域の再生に最適な再生レーザパワーを決定する。このテスト領域にはテストリードに使用するマークまたはピット／スペース列が設けられている。より詳しくは、３Ｔ２〜１１Ｔ２の長さからなるマークまたはピット／スペース列が８／１６変調に基づいて配列さている。テストリードは、様々な方法が想定されるが、再生装置２００は先にディスク情報領域にて読み込んだテストリード条件に応じて所定の再生レーザパワーを、レーザ制御回路２９を介して光ピックアップ２１を用いて光情報記録媒体１００に対して照射させる。再生時に光ピックアップ２１によって生成された電気信号は再生用クロック生成回路２２、イコライザ２４、Ａ／Ｄ変換器２５、信号処理回路２６、エラー検出回路２７に送られ、信号品質が測定される。信号品質とはジッタ、ビットエラーレート等があげられる。この再生データ制御部２８内のメモリ（図示しない）に記録される。
【０１０８】
次に、再生装置２００はレーザ制御回路２９を介して光ピックアップ２１の再生レーザパワーを所定量変動させる。そして、同様に信号品質の測定を行なう。これらの一連のテストリードを複数回行ない、そのなかで、良好な信号品質を与える再生レーザパワーを、光情報記録媒体１００のコンテンツを再生するにあたり、最適再生レーザパワーと規定する（ステップＳ２０９）。
【０１０９】
そして、再生装置２００は、光情報記録媒体１００の再生が記録再生度導入領域からデータ領域に移行すると、上記のステップＳ２０８で生成された再生用クロックにてアドレスを取得し、また上記のステップＳ２０９で決定された最適再生レーザパワーを用いて、データ領域の再生を効率よく実行する（ステップＳ２０５）。
【０１１０】
なお、変調の方式等については、上記に限られるものではなく、互換を取るべき既存の媒体の方式に適合するようにすれば良い。例としてBlu-rayディスクで採用されている１−７変調等であっても良い。
【０１１１】
次に、再生装置２００の再生用クロック生成回路２２の動作について説明する。図６及び図７は、再生装置２００の再生用クロック生成回路２２の動作を説明するための説明図である。なお、記録用クロックの生成は、再生用クロックの生成と同様に実現可能であるので、以下では、再生用クロックの生成についてのみ説明する。
【０１１２】
図６では、記録再生導入領域に記録されるマークまたはピット／スペース列の最短のマークまたはピット／スペース長ｍＴ２のうち再生装置２００の光学系が有する解像限界より長いｍＴ２のうち４Ｔ２を便宜上４Ｔとする。図６の（１）においては、マークまたはピット／スペース長４Ｔは、上記解像限界より長く、この場合、この４Ｔの長さに対応するマーク／スペース列の繰り返し信号を再生すると、図６の（２）に示すように、再生信号の振幅は十分大きなものとなる。
【０１１３】
そして、この再生信号の波形を０レベルで２値化すると、図６の（３）に示すように、マークもしくはスペースのエッジに対応した２値の信号となる。
【０１１４】
再生用クロック生成回路２２は、図６の（４）に示すように、この信号の立ち上がりに生じるエッジから再生用クロックを生成する。この再生用クロックで、再生波形をサンプリングでき、このクロックを基準クロックとして、データ領域を再生することができる。
【０１１５】
また、テストリードが必要な場合であれば、次のステップである信号品質評価に速やかに移行できる。つまり、制御部２８は、レーザ制御回路２９を介して光ピックアップ２１を記録再生導入領域内のテスト領域に移動させる。この時、記録再生導入領域にてクロック生成が完了しているため、速やかに超解像再生に必要な再生レーザパワーを決定するためのテストリードに移行できる。つまり、先頭クラスタから信号品質評価に基づく最適再生レーザパワーの決定を行なう正確なテストリードの実施が可能となる。
【０１１６】
それに対して、図７の（１）に示すように、マーク／スペース長が再生装置２００の解像限界より短いとする。この場合、２Ｔ２を便宜上２Ｔと表わすと、２Ｔの長さに対応するマーク及びスペースの繰り返し信号が記録されている場合、一般的に超解像の光情報記録媒体は個々の媒体に適正な再生レーザパワーにて安定した超解像再生を行なわないと、信号の読み出しが困難となる。特に、解像限界以下のマーク及びスペースの信号を読み出すことはより困難となる。そのため、図７の（２）に示すように、信号振幅は小さくなってしまう。その結果、再生用クロック生成回路２２は、クロックを生成できず、正確な信号の読み出しが不可能となる。
【０１１７】
次に、本実施の形態１における光情報記録媒体を記録及び再生する駆動方法について説明する。図１９は、本実施の形態１における光情報記録媒体を記録する処理手順を示すフローチャートである。ただし、光ピックアップ２１の移動など図５で示した共通行程は省略する。
【０１１８】
先ず、図１９に示すように、ディスク管理情報領域におけるマーク及びピット／スペール列もしくは、ウォブルを用いてディスク管理情報領域を再生するために必要な再生用クロックを生成すると共に、ディスク管理情報領域からディスクの種類や構造、アドレス、記録条件を取得する（ステップＳ３０１）。
【０１１９】
次に、記録再生導入領域に移動し、先にディスク管理情報領域にて取得した情報に基づき、光情報記録媒体の回転速度（線速度）を変更する。記録再生導入領域に形成されているピットもしくはウォブルから、再生用クロックを生成し、このクロックを元に光情報記録媒体の線速度を安定させる（ステップＳ３０２）。
【０１２０】
引き続き、アドレスを取得後、記録再生導入領域にて、ウォブル信号を用いて、データ領域を記録するための記録用クロックを生成する（ステップＳ３０３）。
【０１２１】
また、記録再生導入領域には記録レーザパワーの最適化や記録パルスの最適化を行なうテストライト領域が設けられており、アドレス取得後、先にディスク管理情報領域にて取得した記録条件に基づき、記録レーザパワーの最適化や記録パルスの最適化テストライトを行なう（ステップＳ３０４）
次に、上記記録再生導入領域内のテストライト領域にて再生用クロックを生成する（ステップＳ３０５）。
【０１２２】
そして、記録再生導入領域に記録したマーク列の信号品質評価を行ない（ステップＳ３０６）、ＮＧであれば、記録条件の変更を行ない（ステップＳ３０９）、再び、上記のステップＳ３０３に戻る。
【０１２３】
一方、ＯＫであれば、データ領域を再生するときに用いる、チャネルビット長Ｔ２の逓倍の長さからなる再生用クロック生成用のマーク／スペースを記録再生導入領域内におけるデータ領域の直前に記録する。より詳しくは、３Ｔ２〜１１Ｔ２の長さからなるマークまたはピット／スペース列が８／１６変調に基づいて記録される。場合によっては、記録再生導入領域には、３Ｔ２〜１１Ｔ２のいずれか１つの長さに対応するマーク／スペースの繰り返し信号が記録されていてもよい（ステップＳ３０７）。本ステップＳ３０７の後に、テストリードが必要な光情報記録媒体である場合は、クロック生成用のマーク後に連続して、テストリードに使用するマーク／スペース列を記録する。テストリードに使用するマークまたはピット／スペース列が設けられている。より詳しくは、３Ｔ２〜１１Ｔ２の長さからなるマークまたはピット／スペース列が８／１６変調に基づいて記録される。
【０１２４】
そして、データ領域に移動し、データ領域からのウォブルを用いてデータ領域のアドレスを取得し、そのアドレスに基づいてステップＳ３０６で決定した記録条件にて、データ領域にデータ（コンテンツ情報）を記録する（ステップＳ３０８）。
【０１２５】
なお、記録の方式等については、上記に限られるものではなく、互換を取るべき既存の媒体の方式に適合するようにすれば良い。例としてBlu-rayディスクで採用されている１−７変調等であっても良い。
【０１２６】
（比較例１）
次に、上記の実施の形態１の光情報記録媒体に対する比較例１について説明する。
【０１２７】
図１５に、本比較例１における光情報記録媒体の外観を示す。また、図１６に、図１５のＣ部の拡大図を示しており、図１５のディスク管理情報領域付近を拡大したものである。
【０１２８】
本比較例１における光情報記録媒体の基本構造は、上記の実施の形態１の光情報記録媒体と同じであり、上記の実施の形態１の記録再生導入領域が設けられていない点のみが異なっている。
【０１２９】
本比較例１における光情報記録媒体では、上記の実施の形態１の記録再生導入領域が無いため、線速度の変更、安定化を効率的に行なうことができない。
【０１３０】
また、再生時にデータ領域で再生クロックを生成する必要があり、データ領域の先頭に記録された情報が欠落してしまうという課題を有している。
【０１３１】
（比較例２）
次に、上記の実施の形態２の光情報記録媒体に対する比較例２について説明する。
【０１３２】
図１７に、本比較例２における光情報記録媒体の外観を示す。また、図１８に、図１７のＤ部の拡大図を示しており、図１７のディスク管理情報領域付近を拡大したものである。
【０１３３】
本比較例２における光情報記録媒体の基本構造は、上記の実施の形態２の光情報記録媒体と同じであり、上記の実施の形態２の記録再生導入領域が設けられていない点のみが異なっている。
【０１３４】
本比較例２における光情報記録媒体では、上記の実施の形態２の記録再生導入領域が無いため、線速度の変更、安定化を効率的に行なうことができない。
【０１３５】
また、再生時にデータ領域で再生クロックを生成する必要があり、データ領域の先頭に記録された情報が欠落してしまうという課題を有している。
【０１３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３７】
本発明は、ＣＤ−ＲＯＭ、ＣＤ−Ｒ、ＣＤ−ＲＷ、ＤＶＤ−ＲＯＭ、ＤＶＤ−ＲＷ、ＢＤ、ＢＤ−ＲＯＭ等の光学読取式のディスクや、光磁気ディスク、相変化型ディスク等の種々の光情報記録媒体及び光情報記録媒体再生装置に適用することができる。
【符号の説明】
【０１３８】
２０    スピンドルモータ
２１    光ピックアップ
２２    再生用クロック生成回路
２３    サーボ機構部
２４    イコライザ
２５    Ａ／Ｄ変換器
２６    信号処理回路
２７    エラー検出回路
２８    制御部
２９    レーザ制御回路
３０    センサ
２００    再生装置
１００    光情報記録媒体
【図１】
2010267369.tif 000003
【図２】
2010267369.tif 000004
【図３】
2010267369.tif 000005
【図４】
2010267369.tif 000006
【図５】
2010267369.tif 000007
【図６】
2010267369.tif 000008
【図７】
2010267369.tif 000009
【図８】
2010267369.tif 000010
【図９】
2010267369.tif 000011
【図１０】
2010267369.tif 000012
【図１１】
2010267369.tif 000013
【図１２】
2010267369.tif 000014
【図１３】
2010267369.tif 000015
【図１４】
2010267369.tif 000016
【図１５】
2010267369.tif 000017
【図１６】
2010267369.tif 000018
【図１７】
2010267369.tif 000019
【図１８】
2010267369.tif 000020
【図１９】
2010267369.tif 000021